(57)【要約】      （修正有）【課題】局部洗浄装置において、清潔性の高い洗浄ノズルを提供する。【解決手段】ノズル本体１と、筒状のノズルカバー２と、を有するトイレ用の局部洗浄装置１０であって、ノズル本体は、洗浄水を吐出する吐水孔１１と、吐水孔に洗浄水を供給する通水路１２と、を有し、かつ、ノズルカバー内に一部または全部が収納されて固定され、ノズルカバーは、ノズル本体を内部に収納した状態において、吐水孔から吐出される洗浄水の流れを阻害しないよう位置する連通孔２１を有し、ノズルカバーはさらに、金属下地と、少なくとも外周面を釉薬処理したガラス質を含む釉薬層３と、からなる。【選択図】図３
2020033856.tif 000002
【特許請求の範囲】
【請求項１】
ノズル本体と、前記ノズル本体を収納する筒状のノズルカバーと、を備える局部洗浄ノズルであって、
前記ノズル本体は、洗浄水を吐出する吐水孔と、前記吐水孔に洗浄水を供給する通水路と、を有し、
前記ノズルカバーは、前記吐水孔に対応する位置に形成されて前記吐水孔に連通する連通孔を有するとともに、少なくとも外周面が釉薬処理された金属からなる、局部洗浄ノズル。
【請求項２】
前記ノズル本体を前記ノズルカバーに固定する固定手段をさらに備える、請求項１に記載の局部洗浄ノズル。
【請求項３】
前記金属は、ステンレスである、請求項１または２に記載の局部洗浄ノズル。
【請求項４】
前記釉薬処理により形成される釉薬層は、前記金属下地側から順に、着色顔料を含有する有色釉薬層と、顔料を含有しない無色透明の無色透明釉薬層と、の二層で構成される、請求項１〜３のいずれかに記載の局部洗浄ノズル。
【請求項５】
請求項１〜４のいずれかに記載の局部洗浄ノズルを備える、局部洗浄装置。
【発明の詳細な説明】
【技術分野】
【０００１】
本発明は、局部洗浄ノズルおよび局部洗浄装置に関する。
【背景技術】
【０００２】
シャワートイレは人体でも特にデリケートな局部を洗浄するため、衛生面の観点から清潔性が求められる。特に、局部に向けた洗浄水を吐出するノズルの清潔性向上は大きな課題として認識されている。
【０００３】
従来のシャワートイレのノズルに使用される材料は樹脂やステンレスが一般的であり、その表面に防汚処理を施す等の技術開発が行われているが（例えば、特許文献１、２を参照。）、長期的な使用において、ノズル駆動による摺動摩擦や、ブラシ等での清掃により、表面に傷が付くことがある。ノズルに付いた傷には汚れが溜まりやすく、さらには菌の繁殖の温床となる問題があった。
【先行技術文献】
【特許文献】
【０００４】
【特許文献１】特許５６５３７３５号公報
【特許文献２】特開２００３−１０３５６１号公報
【発明の概要】
【発明が解決しようとする課題】
【０００５】
本発明は上記に鑑みてなされたものであり、局部洗浄装置において洗浄ノズル表面に傷が付きにくい陶器材質のノズルカバー２を用いることで、使用や清掃に伴い発生する傷を軽減し、ノズルの清潔性を向上させることを目的とする。
【課題を解決するための手段】
【０００６】
（１）  本発明は、ノズル本体（例えば、後述のノズル本体１）と、前記ノズル本体を収納する筒状のノズルカバー（例えば、後述のノズルカバー２）と、を備える局部洗浄ノズルであって、前記ノズル本体は、洗浄水を吐出する吐水孔（例えば、後述の吐水孔１１）と、前記吐水孔に洗浄水を供給する通水路（例えば、後述の通水路１２）と、を有し、前記ノズルカバーは、前記吐水孔に対応する位置に形成されて前記吐水孔に連通する連通孔（例えば、後述の連通孔２１）を有するとともに、少なくとも外周面が釉薬処理された金属からなる、局部洗浄ノズル（例えば、後述の洗浄ノズル１０）を提供する。
【０００７】
（２）  （１）の発明において、前記ノズル本体を前記ノズルカバーに固定する固定手段をさらに備えることが好ましい。
【０００８】
（３）  （１）または（２）の発明において、前記金属は、ステンレスであることが好ましい。
【０００９】
（４）  （１）〜（３）の発明において、前記釉薬処理により形成された釉薬層（例えば、後述の釉薬層３）は、前記陶器側から順に配置された、着色顔料を含有する有色釉薬層（例えば、後述の有色釉薬層３１）と、顔料を含有しない無色透明の無色透明釉薬層（例えば、後述の無色透明釉薬層３２）と、の二層で構成されてもよい。
【００１０】
（５）  また本発明は、（１）〜（４）のいずれかの局部洗浄ノズルを備える、局部洗浄装置（例えば、後述の局部洗浄装置１００）を提供する。
【発明の効果】
【００１１】
本発明によれば、洗浄ノズル表面に傷が付きにくい陶器材質のノズルカバーを用いることで、傷部での汚れの堆積や菌の繁殖を防止し、ノズルの清潔性を向上させることができる。
【図面の簡単な説明】
【００１２】
【図１】本発明の局部洗浄装置１００を示す図である。
【図２】本発明の洗浄ノズル１０の軸方向に平行な断面を示す図である。
【図３】本発明の洗浄ノズル１０の軸方向に直交する断面を示す図である。
【図４】本発明のノズルカバー２および釉薬層３の層断面を示す図である。
【発明を実施するための形態】
【００１３】
以下、本発明の実施形態について説明するが、本発明はこれに限定されるものではない。
【００１４】
図１は、本発明の局部洗浄装置１００を示す図である。
図１に示すように、局部洗浄装置１００は、便器７の上部に取り付けられ、便器７と、使用者の臀部を支持する便座８とともに使用される。局部洗浄装置１００は、ノズル駆動部１１０に収容され進退可能とされた洗浄ノズル１０と、水の供給を制御する給水バルブ（不図示）と、供給水を加温する温水生成部（不図示）と、を備えており、給水バルブを開栓して流れる水を加熱して洗浄ノズル１０へ温水を供給し、吐水孔１１から洗浄水を吐出する。
【００１５】
図２および３は、本発明の洗浄ノズル１０を示す図である。
本発明の洗浄ノズル１０は、ノズル本体１と、筒状のノズルカバー２と、から構成され、ノズル取付部９を介して本体部に取り付けられる。ノズル本体１は、洗浄水を吐出する吐水孔１１と、吐水孔１１に洗浄水を供給する通水路１２と、を有し、かつ、ノズルカバー２内に一部または全部が収納される。ノズルカバー２は、吐水孔１１に対応した位置に連通孔２１を有し、ノズルカバー２はさらに、少なくとも外周面が釉薬処理された金属からなる。
【００１６】
ノズル本体１には、一般にシャワートイレ用ノズルに使用される樹脂などの材料を用いることができる。本発明においてノズル本体１はノズルカバー２に覆われて保護されるため、外面に防汚処理などをする必要がなく、洗浄水を供給する通水路１２と、吐水孔１１を備えていればよい。なお、ノズルカバー２の連通孔２１を介して洗浄ノズル１０に吐水孔別体を取り付けてもよい。その際に、吐水孔別体にも傷つきにくい部材を使用することがより好ましい。
【００１７】
ノズルカバー２は、ノズル駆動による摺動摩擦やブラシでの清掃に対して耐傷性の高い金属材料で構成される。筒状のノズルカバー２は、内部にノズル本体１の一部または全部を収納して傷や汚れから保護する。金属材料としては例えば、琺瑯やステンレスが好ましく用いられる。特にステンレスは錆が発生しにくいため、水濡れする環境の中でさらに長期的に清潔性を保つことが可能になる。
【００１８】
釉薬処理により形成される釉薬層３は、ノズルカバー２の清潔性や外観の意匠性を高める観点から、ノズルカバー２の外周面に形成される。釉薬層は透明であってもよいし、下地となる金属材料やトイレの意匠等に合わせて、着色顔料を含んで構成されてもよい。
【００１９】
ノズル本体１とノズルカバー２は、筒状のノズルカバー２の内部にノズル本体１を収納した状態で、互いに組み付け可能な固定手段を有することが好ましい。これにより、吐水孔１１および連通孔２１の相対位置を合わせた状態で維持することができ、両孔の位置ずれによって洗浄水の勢いを妨げることがない。
【００２０】
固定手段は特に限定されるものではなく、接着剤による接着のほか、ノズル本体１とノズルカバー２のいずれかに突起部および嵌合部を設け、金属の弾性を利用して嵌合することにより固定してもよい。例えば、スナップフィットによる固定が好ましく用いられる。金属性のノズルカバー２は加工が容易であるため、様々な固定手段を適用できる。
【００２１】
洗浄ノズル１０はシャワートイレの駆動に伴い、長尺状の洗浄ノズル１０の先端側から顕現してくるが、接着剤により形成された接着部４は、基端側のみに配置される。接着部４の位置や数としては特に限定されるものではないが、接着部４は視認されない位置に留めることが好ましく、接着部４を視認されない位置に留めることで、ノズルカバーの外観品位を保つことが可能になる。接着剤は、一般に工業用に使用されるものを用いることができる。
【００２２】
ノズルカバー２は、その内周面の少なくとも一部に形成された内周平面部２２を有し、前記ノズル本体は、その外周面の少なくとも一部に形成されて前記内周平面部に当接する外周平面部１３を有することが好ましい。これにより、ノズルカバー２の内部にノズル本体１を収納する際に平面部同士を合わせることで、ぐらつきを抑え、吐水孔１１と連通孔２１との位置合わせが容易かつ高精度に行われる。
【００２３】
図４は、本発明のノズルカバー２および釉薬層３の層断面を示す図である。
釉薬処理により形成された釉薬層３は、前記陶器側から順に配置された、着色顔料を含有する有色釉薬層３１と、顔料を含有しない無色透明の無色透明釉薬層３２と、の二層で構成されてもよい。これにより、洗浄ノズル１０に顔料の色味を付与しつつ光沢感が得られ、洗浄ノズル１０、ひいては局部洗浄装置１００の意匠性が向上する。
【００２４】
以上、本実施形態に係る局部洗浄ノズル１０によれば、以下のような効果を奏する。
【００２５】
（１）  本発明の実施形態に係る局部洗浄ノズル１０は、ノズル本体１と、ノズル本体１を収納する筒状のノズルカバー２と、を備える局部洗浄ノズル１０であって、ノズルカバー２は、少なくとも外周面が釉薬処理された金属からなる。
これにより、ノズル本体は傷の付きにくいノズルカバー２によって保護され、洗浄ノズル１０の清潔性が向上する。
【００２６】
（２）  局部洗浄ノズル１０は、ノズル本体１をノズルカバー２に固定する固定手段をさらに備える。
これにより、吐水孔１１および連通孔２１の相対位置を合わせた状態で維持することができ、両孔の位置ずれによって洗浄水の勢いを妨げることがない。また、金属製のノズルカバー２は加工が容易であるほか弾性を有するために、固定手段の設計自由度が高い。
【００２７】
（３）  局部洗浄ノズル１０において、前記金属は、ステンレスである。
ステンレスは錆が発生しにくいため、水濡れする環境の中でさらに長期的に清潔性を保つことが可能になる。
【００２８】
（４）  局部洗浄ノズル１０において、釉薬処理により形成された釉薬層３は、金属側から順に配置された、着色顔料を含有する有色釉薬層３１と、顔料を含有しない無色透明の無色透明釉薬層３２と、の二層で構成される。
これにより、洗浄ノズル１０に顔料の色味を付与しつつ光沢感が得られ、洗浄ノズル１０の意匠性が向上する。
【００２９】
（５）  また本発明は、（１）〜（４）のいずれかの局部洗浄ノズルを備える、局部洗浄装置を提供する。
これにより、局部洗浄装置において（１）〜（４）に記載の効果が得られる。
【００３０】
上記の実施形態に係る洗浄ノズルを有する局部洗浄装置によれば、洗浄ノズル表面に傷が付きにくい金属材質のノズルカバーを用いることで、傷部での汚れの堆積や菌の繁殖を防止し、ノズルの清潔性が向上する。
【００３１】
なお、本発明は上記実施形態に限定されるものではなく、本発明の目的を達成できる範囲での変形、改良は本発明に含まれる。
【符号の説明】
【００３２】
１  …ノズル本体
１１…吐水孔
１２…通水路
１３…外周平面部
２  …ノズルカバー
２１…連通孔
２２…内周平面部
３  …釉薬層
３１…有色釉薬層
３２…無色透明釉薬層
７  …便器
８  …便座
９  …ノズル取付部
１０，２０…洗浄ノズル
１００，２００…局部洗浄装置
１１０…ノズル駆動部
【図１】
2020033856.tif 000003
【図２】
2020033856.tif 000004
【図３】
2020033856.tif 000005
【図４】
2020033856.tif 000006